(57)【要約】【課題】撮像装置の組立時においてフレキシブルケーブルを保護することができ、撮像装置の組立性を向上させると共に部品削減によるコストダウンを実現する。【解決手段】撮像装置を、撮像装置本体の背面側に配置される表示装置３０の底面側において折り返されるフレキシブルケーブル（ＦＰＣ−ＬＣＤ３０１）が撮像装置本体の底面側に突出して折り返された状態でＦＰＣ−ＬＣＤ３０１の突出方向と略平行に三脚ベース２０を組み付けて、三脚ベース２０の平面部２０１でＦＰＣ−ＬＣＤ３０１の折り返された部分を支えると共に、三脚ベース２０の係止部を本体の内装係止部に係合させて、三脚ベース２０を本体に対して仮固定した後、リアカバー３１のエッジ部３１１が三脚ベース２０の平面部２０１を本体の底面側から覆うようにリアカバー３１を本体の背面側から本体に対して組み付ける構造とする。【選択図】図１１
2013231791.tif 000002
【特許請求の範囲】
【請求項１】
撮像装置であって、
撮像装置本体の背面側に配置される表示装置と、
前記表示装置の画像表示面を露出させる開口部を有し、前記撮像装置本体の背面側を覆うリアカバーと、
前記表示装置の底面側において折り返され、前記表示装置と前記撮像装置本体との間で画像信号を通信するフレキシブルケーブルと、
前記撮像装置本体の底面側に配置される三脚ベースと、を備え、
前記三脚ベースは、前記フレキシブルケーブルの折り返された部分を支える平面部と、前記撮像装置本体と係止される三脚係止部とを有し、
前記撮像装置本体は、前記三脚係止部と係止される内装係止部を有し、
前記リアカバーは、前記撮像装置本体の底面側から前記三脚ベースの前記平面部を覆うエッジ部を有し、
前記三脚ベースは、前記フレキシブルケーブルが前記撮像装置本体の底面側に突出して折り返された状態で前記フレキシブルケーブルの突出方向と略平行に前記撮像装置本体に組み付けられることで前記平面部が前記フレキシブルケーブルの折り返された部分を支えると共に前記三脚係止部が前記内装係止部と係合して前記撮像装置本体に対して仮固定され、
前記リアカバーは、前記三脚ベースが前記撮像装置本体に対して仮固定された状態で前記エッジ部を前記三脚ベースの前記平面部を前記撮像装置本体の底面側から覆うように前記撮像装置本体の背面側から前記撮像装置本体に対して組み付けられることを特徴とする撮像装置。
【請求項２】
前記内装係止部は、前記撮像装置本体を構成する内装部材に設けられていることを特徴とする請求項１記載の撮像装置。
【請求項３】
前記三脚ベースと前記内装部材はそれぞれ、複数の前記三脚係止部と前記内装係止部を有し、
前記複数の前記三脚係止部と前記内装係止部は、前記三脚ベースの重心を中心として略点対称となる位置に配置されていることを特徴とする請求項２記載の撮像装置。
【請求項４】
前記複数の前記三脚係止部のうち少なくとも１つは凹形状を有する凹部であり、
前記複数の前記内装係止部のうち少なくとも１つは爪形状を有する係止爪であり、
前記係止爪は、前記三脚ベースを前記撮像装置本体に対して組み付けられる方向と略直交する方向に弾性変形して、前記凹部と係合することを特徴とする請求項３記載の撮像装置。
【請求項５】
前記三脚ベースは、前記リアカバーが前記撮像装置本体に組み付けられた状態において、前記平面部の先端部が前記リアカバーの内壁に近接する形状を有することを特徴とする請求項１乃至４のいずれか１項に記載の撮像装置。
【発明の詳細な説明】
【技術分野】
【０００１】
本発明は、表示装置と三脚ベースとを有する撮像装置に関する。
【背景技術】
【０００２】
デジタルカメラ等の撮像装置の背面側には、一般的に、ユーザが撮影した画像を視認するための液晶パネル等の表示ユニットが設けられている。
【０００３】
表示ユニットにはフレキシブル配線部が延出形成されており、フレキシブル配線部を保護するために、フレキシブル配線部の周囲を覆うフレームに表示ユニットを載置することが知られている（特許文献１参照）。
【先行技術文献】
【特許文献】
【０００４】
【特許文献１】特開２０１０−２４３８７８号公報
【発明の概要】
【発明が解決しようとする課題】
【０００５】
しかしながら、近年、撮像装置については、市場での価格競争が激化しているため、撮像装置の部品点数を削減してコストダウンを図ることが急務となっている。そこで、フレキシブル配線部を保護するフレームのような部材を使用することなく、フレキシブル配線部を保護することが求められている。
【０００６】
本発明は、撮像装置の組立時においてフレキシブル配線部を保護することができ、撮像装置の組立性を向上させると共に部品削減によるコストダウンを実現することができる撮像装置を提供することを目的とする。
【課題を解決するための手段】
【０００７】
本発明に係る撮像装置は、撮像装置であって、撮像装置本体の背面側に配置される表示装置と、前記表示装置の画像表示面を露出させる開口部を有し、前記撮像装置本体の背面側を覆うリアカバーと、前記表示装置の底面側において折り返され、前記表示装置と前記撮像装置本体との間で画像信号を通信するフレキシブルケーブルと、前記撮像装置本体の底面側に配置される三脚ベースと、を備え、前記三脚ベースは、前記フレキシブルケーブルの折り返された部分を支える平面部と、前記撮像装置本体と係止される三脚係止部とを有し、前記撮像装置本体は、前記三脚係止部と係止される内装係止部を有し、前記リアカバーは、前記撮像装置本体の底面側から前記三脚ベースの前記平面部を覆うエッジ部を有し、前記三脚ベースは、前記フレキシブルケーブルが前記撮像装置本体の底面側に突出して折り返された状態で前記フレキシブルケーブルの突出方向と略平行に前記撮像装置本体に組み付けられることで前記平面部が前記フレキシブルケーブルの折り返された部分を支えると共に前記三脚係止部が前記内装係止部と係合して前記撮像装置本体に対して仮固定され、前記リアカバーは、前記三脚ベースが前記撮像装置本体に対して仮固定された状態で前記エッジ部を前記三脚ベースの前記平面部を前記撮像装置本体の底面側から覆うように前記撮像装置本体の背面側から前記撮像装置本体に対して組み付けられることを特徴とする。
【発明の効果】
【０００８】
本発明によれば、撮像装置の組立時において三脚ベースを用いてＦＰＣ−ＬＣＤを保護することができ、撮像装置の組立性を向上させると共に部品削減によるコストダウンを実現することができる。
【図面の簡単な説明】
【０００９】
【図１】本実施形態に係る撮像装置の背面図であり、表示装置とその周辺部品を抜粋して示す図である。
【図２】図１に示す表示装置とその周辺部品の構造を示す分解斜視図である。
【図３】図２に示す三脚ベースの構造を示す斜視図である。
【図４】図２に示す三脚ベースが撮像装置本体に対して組み付けられる直前の状態を三脚ベースの中心で切って示す断面図。
【図５】図２に示す三脚ベースが撮像装置本体に対して組み付けられた直後の状態を三脚ベースの中心で切って示す断面図。
【図６】図２に示す三脚ベースが撮像装置本体に組み付けられる前の状態を示す斜視図である。
【図７】図２に示す三脚ベースを撮像装置本体に組み付け始めた状態を示す正面図である。
【図８】図２に示す三脚ベースが撮像装置本体に組み付けられている途中の状態を示す斜視図である。
【図９】図２に示す三脚ベースが撮像装置本体に仮固定された状態を示す正面図である。
【図１０】図２に示す三脚ベースが仮固定された撮像装置本体に対するリアカバーの組付方法を、リアカバーが組み付けられる前の状態で示す断面図である。
【図１１】図２に示す三脚ベースが仮固定された撮像装置本体に対するリアカバーの組付方法を、リアカバーが組み付けられた後の状態で示す断面図である。
【発明を実施するための形態】
【００１０】
以下、本発明の実施形態について、添付図面を参照して詳細に説明する。ここでは、撮像装置の一例として、デジタルカメラを取り上げることとする。ただし、本発明は、これに限定されるものではなく、任意の撮像装置（例えば、デジタルビデオカメラ）等にも適用することができる。
【００１１】
＜撮像装置が備える表示装置及びその周辺部品＞
本実施形態に係る撮像装置は、正面側に撮像レンズユニットが、背面側に画像を表示する表示装置が、底面側に三脚を取り付けるための三脚ベースが配置された構造を有する。図１は、本実施形態に係る撮像装置を背面側から見た斜視図であり、表示装置及びその周辺部品を抜粋して示している。
【００１２】
図１に示す三次元直交座標系（Ｘ，Ｙ，Ｚ）は、図２〜図１１でも共通して用いられる。以下の説明では、Ｚ方向側を撮像装置の「背面側」と定義し、これと対向する側を撮像装置の「正面側」と定義する。また、Ｘ方向側を撮像装置の「右側」と定義し、これと対向する側を撮像装置の「左側」と定義し、Ｙ方向側を撮像装置の「上面側」と定義し、これと対向する側を撮像装置の「底面側」と定義する。なお、本実施形態に係る撮像装置を構成する各種の部品のうち、図１２乃至図１４を参照して説明した従来例に係る撮像装置を構成する各種の部品と同様の機能を有する部品については、同じ名称或いは同じ符号を用いることとする。
【００１３】
撮像装置を構成するリアカバー３１には、表示装置３０の画像表示面を露出させるための開口部が設けられており、表示装置３０はこの開口部に嵌め込まれる。なお、リアカバー３１は、例えば、金属製である。表示装置３０は、表示装置３０と撮像装置の本体との間で画像信号を通信するフレキシブルケーブル（ＦＰＣ−ＬＣＤ３０１（図２参照））を含めて、図１２を参照して説明した表示装置３０と同等の構成を取るため、ここでの詳細な説明を省略する。
【００１４】
図２は、図１に示される表示装置３０とその周辺部品の構造を示す分解斜視図である。表示装置３０はバックプレート３２に保持され、バックプレート３２はフロントベース３４に取り付けられる。撮像装置の右側には、内部にバッテリを保持することが可能なバッテリボックス２１が、フロントベース３４に締結されて配置される。また、撮像装置の正面側には、撮像レンズユニットと電気的に接続され、フロントベース３４に締結されるＭＩＦ（Mount Interface）ベース２２が配置される。なお、バッテリボックス２１とＭＩＦベース２２は共に、撮像装置の内装部材の例である。撮像装置の底面側は、三脚を撮像装置に締結するための三脚ネジ部を有する三脚ベース２０が配置される。
【００１５】
図２に示す矢印ｇは、図１４を参照して説明した従来例と同様に、撮像装置本体に対してリアカバー３１を組み付ける際の組付方向を示している。なお、以下の説明において、「撮像装置本体」の構成要素は、フロントベース３４、バッテリボックス２１、ＭＩＦベース２２、バックプレート３２及び表示装置３０であるとする。リアカバー３１において撮像装置の底面側にあたる部分にはエッジ部３１１が形成されている。よって、リアカバー３１を組み付ける際には、エッジ部３１１が底面側における先端部となる。
【００１６】
以上の説明から明らかな通り、本実施形態に係る撮像装置は、従来例として図１３を参照して説明したＬＣＤプレート３３を備えておらず、三脚ベース２０がＬＣＤプレート３３の機能を有する。そこで、次に、三脚ベース２０の構造について詳細に説明する。
【００１７】
＜三脚ベース２０の構造＞
図３は、三脚ベース２０の詳細な構造を示す斜視図であり、図３（ａ）は三脚ベース２０を上面側から見た斜視図であり、図３（ｂ）は三脚ベース２０を底面側から見た斜視図である。
【００１８】
図３（ａ）に示すように、三脚ベース２０の上面において撮像装置の背面側にあたる部分には平面部２０１が形成されている。なお、三脚ベース２０では、図１４に示した従来の三脚ベース３５における撮像装置の背面側の辺を、撮像装置の背面側へ更に延出させることにより、平面部２０１を形成している。平面部２０１は、後述するように、表示装置３０に取り付けられているＦＰＣ−ＬＣＤ３０１が撮像装置の底面側へ突出した部分を支える広さを有している。
【００１９】
三脚ベース２０は、背面側へ延出する一辺の先端部２０２の底面側に形成された呼び込み部２０３と、三脚ベース２０をフロントベース３４に対して位置決めするための位置決め穴２０４ａ，２０４ｂとを有している。また、図３（ｂ）に示すように、三脚ベース２０には、三脚を取り付けるための雌ネジが切られた三脚ネジ部２０５が形成されている。更に、三脚ベース２０には、２カ所に三脚係止部が形成されている。１つの三脚係止部は、撮像装置の右側にあたる位置に形成された、凸形状を有する三脚係止凸部２０６であり、他方の三脚係止部は、撮像装置の正面左側に形成された、凹形状を有する三脚係止凹部２０７である。
【００２０】
＜撮像装置の組立時における三脚ベース２０によるＦＰＣ−ＬＣＤ３０１の保護＞
撮像装置を組み立てる際の三脚ベース２０とＦＰＣ−ＬＣＤ３０１の位置関係について、図４及び図５を参照して説明する。なお、三脚ベース２０の詳細な組付方法については後述することとする。
【００２１】
図４は、三脚ベース２０が撮像装置本体に対して組み付けられる直前の状態を、三脚ベース２０の中心で切って示す断面図である。なお、図４の状態となる前段階として、バッテリボックス２１、ＭＩＦベース２２及びバックプレート３２は、フロントベース３４にビス（不図示）によって締結されており、表示装置３０はバックプレート３２の保持部（不図示）に保持されている。
【００２２】
三脚ベース２０は、撮像装置本体の底面側から上面側へ向かって、図４の矢印ｂ方向に組み付けられる。このとき、ＦＰＣ−ＬＣＤ３０１は、撮像装置の背面側から矢印ｃ方向に突出した後、正面側へ折り返された状態となっている。よって、三脚ベース２０とＦＰＣ−ＬＣＤ３０１とのＺ方向における位置関係は、平面部２０１とＦＰＣ−ＬＣＤ３０１の折り返しによる突出部とがＹ方向で対向する位置関係となり、三脚ベース２０の組付方向とＦＰＣ−ＬＣＤ３０１の突出方向とは略平行となる。
【００２３】
図５は、三脚ベース２０が撮像装置本体に対して組み付けられた直後の状態を三脚ベース２０の中心で切って示す断面図であり、図４に示した状態にある三脚ベース２０をＹ方向に組み付けた直後の状態が示されている。三脚ベース２０を組み付ける過程において、平面部２０１とＦＰＣ−ＬＣＤ３０１の突出部とが当接することによって、ＦＰＣ−ＬＣＤ３０１は突出方向とは逆の方向へ押し上げられる。
【００２４】
このとき、ＦＰＣ−ＬＣＤ３０１の突出部が突出方向とは逆の方向へと撓んで変形していくため、三脚ベース２０の組み付け時にＦＰＣ−ＬＣＤ３０１を損傷させることがない。また、図５に示すように三脚ベース２０が組み付けられた状態では、Ｙ方向視において平面部２０１がＦＰＣ−ＬＣＤ３０１の全域を覆った状態で、ＦＰＣ−ＬＣＤ３０１を三脚ベース２０の平面部２０１の上面側に保持することができる。
【００２５】
よって、本実施形態によれば、折り返された状態で撮像装置の底面側に突出するＦＰＣ−ＬＣＤ３０１を有する表示装置３０に対して、ＦＰＣ−ＬＣＤ３０１を突出方向とは逆の方向に撓ませながら、三脚ベース２０を組み付けることができる。つまり、ＦＰＣ−ＬＣＤ３０１を損傷させることなく、三脚ベース２０を安心して組み付けることが可能になっている。
【００２６】
＜三脚ベース２０の仮固定方法＞
本実施形態に係る撮像装置では、その組立工程において、三脚ベース２０は撮像装置本体を構成する内装部材であるバッテリボックス２１とＭＩＦベース２２に仮固定される。その詳細について図６乃至図９を参照して詳細に説明する。
【００２７】
図６は、三脚ベース２０が撮像装置本体に組み付けられる前の撮像装置本体の斜視図であり、撮像装置本体は、その底面側が上側を向いた状態で描画されている。撮像装置本体は、バッテリボックス２１、ＭＩＦベース２２及びバックプレート３２がフロントベース３４に締結され、表示装置３０がバックプレート３２に保持された構造となっている。
【００２８】
バッテリボックス２１には、内装係止部の１つであるバッテリボックス係止凸部２１１が形成されており、ＭＩＦベース２２には別の内装係止部であり、弾性変形が可能な爪形状を有するＭＩＦ係止爪２２１が形成されている。フロントベース３４には、三脚ベース２０を位置決めするための位置決めボス３４１ａ，３４１ｂが設けられている。
【００２９】
図７は、図６に示す撮像装置本体に対して三脚ベース２０を組み付け始めた状態を示す正面図である。三脚ベース２０を撮像装置本体に組み付ける際には、先ず、三脚ベース２０を図７に示すように撮像装置本体の底面に対して斜め姿勢とし、三脚係止凸部２０６をバッテリボックス係止凸部２１１の下側（Ｙ方向側）に潜り込ませる。続いて、三脚係止凸部２０６を中心として、三脚ベース２０を図７の矢印ｄ方向に回転させる。
【００３０】
図８は、三脚ベース２０を撮像装置本体に組み付けている途中の状態を示す斜視図であり、図７に示した矢印ｄ方向に三脚ベース２０を回転させた後の状態を示している。図７の矢印ｄ方向に三脚ベース２０を回転させていくと、図８に示すように、三脚係止凸部２０６に対して三脚ネジ部２０５を中心として略点対称の位置に設けられた三脚係止凹部２０７とＭＩＦベース２２のＭＩＦ係止爪２２１とが当接する。すると、ＭＩＦ係止爪２２１は、三脚係止凹部２０７からの力によって、三脚ベース２０から離れるように、図８の矢印ｅ方向（三脚ベース２０の組付方向と略直交する方向）へ弾性変形（屈曲）する。これにより、三脚ベース２０を更に図７の矢印ｄ方向に回転させる（撮像装置本体に押し込む）ことができる。
【００３１】
この段階で、三脚ベース２０の位置決め穴２０４ａ，２０４ｂはそれぞれ、フロントベース３４の位置決めボス３４１ａ，３４１ｂと嵌合し、これにより、撮像装置本体に対して三脚ベース２０のＸ方向位置及びＺ方向位置が定まる。また、この段階で、三脚ベース２０の平面部２０１は、ＦＰＣ−ＬＣＤ３０１を突出方向とは逆の方向（Ｙ方向）へ撓ませながら押し上げることになる。
【００３２】
本実施形態では、三脚係止凸部２０６を中心として三脚ベース２０を回転させているが、平面部２０１がＦＰＣ−ＬＣＤ３０１と当接するようになったときには、三脚ベース２０の移動方向（組み付け方向）はＹ方向と略平行となる。こうして、平面部２０１とＦＰＣ−ＬＣＤ３０１の突出方向とが略直交するようになるため、ＦＰＣ−ＬＣＤ３０１にはその突出方向以外にはストレスが掛からず、よって、ＦＰＣ−ＬＣＤ３０１を安全に撓ませながらＹ方向に押し上げることができる。
【００３３】
図９は、三脚ベース２０が撮像装置本体に仮固定された状態を示す正面図である。図８の状態から三脚ベース２０を更に回転させると、図９の右側拡大図に示すように、三脚係止凸部２０６がバッテリボックス係止凸部２１１の図中下側（Ｙ方向）に潜り込む。これにより、三脚ベース２０がＹ方向とは逆の方向（撮像装置の底面側）へ脱落しようとしても、三脚係止凸部２０６がバッテリボックス係止凸部２１１に接触するため、三脚ベース２０の脱落が防止される。
【００３４】
図９の中央拡大図は、三脚係止凹部２０７とＭＩＦ係止爪２２１とが係合している部位を示しており、図９の左側拡大図は、中央拡大図のα−α断面図である。図９の左側拡大図に示す矢印ｆは、ＭＩＦ係止爪２２１の弾性変形方向を示している。三脚ベース２０がＹ方向において仮固定の完了位置まで移動したとき、ＭＩＦ係止爪２２１は、弾性変形した退避位置から元の位置に戻って、三脚係止凹部２０７と係合する。
【００３５】
こうして、三脚ベース２０のＹ方向での移動は、バッテリボックス係止凸部２１１とＭＩＦ係止爪２２１とによって規制される。また、三脚ベース２０のＸ方向及びＺ方向での移動は、位置決め穴２０４ａ，２０４ｂとフロントベース３４に設けられた位置決めボス３４１ａ，３４１ｂとの嵌合によって規制される。よって、三脚ベース２０は、Ｘ，Ｙ，Ｚ方向の全ての方向において撮像装置本体に対して位置決めされ、仮固定された状態となり、三脚ベース２０の撮像装置の底面側への脱落も防止される。本実施形態では、三脚ベース２０仮固定を行う複数の係止部を、三脚ベース２０の重心（三脚ベース２０では三脚ネジ部２０５中心付近）を中心として略点対称となる位置に配置しているため、三脚ベース２０をバランスよく仮固定することができる。
【００３６】
＜リアカバー３１の組立方法（撮像装置の組立方法）＞
図１０及び図１１は、三脚ベース２０が仮固定された撮像装置本体に対するリアカバー３１の組付方法を示す断面図であり、三脚ネジ部２０５の略中心を通るＹ−Ｚ面を撮像装置の左側から見た状態で示している。
【００３７】
図１０は、リアカバー３１が撮像装置本体に対して組み付けられる前の状態を示している。図１０の右側詳細図（撮像装置の背面側における、三脚ベース２０の平面部２０１の近傍を示す図）に示すように、三脚ベース２０が仮固定されている状態では、ＦＰＣ−ＬＣＤ３０１は、三脚ベース２０の平面部２０１の上側に収まった状態となっている。リアカバー３１は図１０に示す矢印ｇ方向に組み付けられ、その際、リアカバー３１のエッジ部３１１は、組み付けの際の底面側先端部となる。
【００３８】
本実施形態では、ＦＰＣ−ＬＣＤ３０１が三脚ベース２０の上面側に収められており、リアカバー３１のエッジ部３１１は三脚ベース２０の底面側に組み込まれるため、エッジ部３１１がＦＰＣ−ＬＣＤ３０１を損傷させることがない。また、三脚ベース２０の先端部２０２には呼び込み部２０３が設けられているため、リアカバー３１を組み付ける際に、組み付け位置がＹ方向でばらついても、エッジ部３１１は呼び込み部２０３に当接して案内され、平面部２０１を撮像装置本体の底面側から覆う。こうして、リアカバー３１を所定位置に容易に組み付けることができる。このように、本実施形態によれば、ＦＰＣ−ＬＣＤ３０１を損傷させることなく、リアカバー３１を容易且つ確実に撮像装置本体に対して組み付けることができる。
【００３９】
図１１は、リアカバー３１が撮像装置本体に組み付けられた後の状態を示しており、三脚ベース２０を境として、三脚ベース２０の上面側にＦＰＣ−ＬＣＤ３０１が、底面側にリアカバー３１がそれぞれ分かれて配置された状態になっていることがわかる。また、三脚ベース２０は、撮像装置本体に固定された状態において、先端部２０２がリアカバー３１の内壁に近接する形状を有していることがわかる。
【００４０】
したがって、例えば、撮像装置を落下させてしまう等して、リアカバー３１に図１１に示す矢印ｈ方向に力が加わった場合でも、三脚ベース２０がリアカバー３１の内壁を受けるために、リアカバー３１の内側への変形を防止することができる。また、ＦＰＣ−ＬＣＤ３０１に外力が作用し難い構造となっているため、ＦＰＣ−ＬＣＤ３０１の損傷を防止することができる。
【００４１】
上記説明の通り、本実施形態によれば、撮像装置の組立工程において、フロントベース３４の位置決めボス３４１ａ，３４１と三脚ベース２０の位置決め穴２０４ａ，２０４ｂとが嵌合する。また、三脚ベース２０に設けた三脚係止凸部２０６及び三脚係止凹部２０７がそれぞれ、バッテリボックス２１のバッテリボックス係止凸部２１１及びＭＩＦベース２２のＭＩＦ係止爪２２１に係合する。これにより、三脚ベース２０を、リアカバー３１が組み付けられるまでの間、ビス等を用いることなく所定位置に仮固定することができる。
【００４２】
また、撮像装置の組立工程において、ＦＰＣ−ＬＣＤ３０１は三脚ベース２０の平面部２０１の上側に収められ、リアカバー３１を組み付ける際にＦＰＣ−ＬＣＤ３０１がリアカバー３１と接触することがない。また、撮像装置の組立後には、三脚ベース２０において平面部２０１が形成されている部分の先端部２０２がリアカバー３１に作用する外力を受け止めるため、ＦＰＣ−ＬＣＤ３０１に外力が作用し難い。よって、撮像装置の組立途中及び組立後において、ＦＰＣ−ＬＣＤ３０１を確実に保護することができる。
【００４３】
以上、本実施形態によれば、撮像装置の組立性を向上させることができると共に、組立途中及び組立後においてＦＰＣ−ＬＣＤ３０１を確実に保護することができる。また、ＦＰＣ−ＬＣＤ３０１を保護する専用部材を廃止して、コストダウンを実現することができる。
【００４４】
以上、本発明をその好適な実施形態に基づいて詳述してきたが、本発明はこれら特定の実施形態に限られるものではなく、この発明の要旨を逸脱しない範囲の様々な形態も、本発明に含まれる。
【符号の説明】
【００４５】
２０    三脚ベース
２１    バッテリボックス
２２    ＭＩＦベース
３０    表示装置
３１    リアカバー
３２    バックプレート
３４    フロントベース
２０１    平面部
２０６    三脚係止凸部
２０７    三脚係止凹部
２１１    バッテリボックス係止凸部
２２１    ＭＩＦ係止爪
３０１    ＦＰＣ−ＬＣＤ（フレキシブルケーブル）
３１１    エッジ部
【図１】
2013231791.tif 000003
【図２】
2013231791.tif 000004
【図３】
2013231791.tif 000005
【図４】
2013231791.tif 000006
【図５】
2013231791.tif 000007
【図６】
2013231791.tif 000008
【図７】
2013231791.tif 000009
【図８】
2013231791.tif 000010
【図９】
2013231791.tif 000011
【図１０】
2013231791.tif 000012
【図１１】
2013231791.tif 000013